(57)【要約】【課題】便ふたの保温性を向上させることによって、便座暖房の省エネ性を向上させたトイレ装置の提供を目的とする。【解決手段】便ふた１７上面は、外周の全部または一部に凹形状部１７ａを有し、前記凹形状部１７ａを覆う枠パネル１９を配設したものである。これにより、便座暖房時の放熱を、便ふた１７と枠パネル１９の二重構成で防ぎ、便ふた１７の保温性を向上させて、便座暖房の省エネ性を向上させたものである。【選択図】図２
2005131093.tif 000002
【特許請求の範囲】
【請求項１】
便器上に設けた、人体の局部を洗う洗浄手段を内蔵した本体と、便器上のリム面上に設けた暖房手段を内蔵した便座と、前記便座を覆う開閉自在な便ふたとを備え、前記便ふた上面は、外周の全部または一部に凹形状部を有し、前記凹形状部を覆う枠パネルを配設したトイレ装置。
【請求項２】
便ふたの凹形状部の底部は、便座上面と近接してなる請求項１に記載のトイレ装置。
【請求項３】
便ふたの凹形状部と枠パネルとの間の空間部に断熱材を設けてなる請求項１または２に記載のトイレ装置。
【請求項４】
便ふたの凹形状部の底部から便座上面に向けてリブを有してなる請求項１〜３のいずれか１項に記載のトイレ装置。
【請求項５】
枠パネルと便ふたの内側境界部は便ふた天面部に、外側境界部は便ふた側面部にしてなる請求項１〜４のいずれか１項に記載のトイレ装置。
【請求項６】
枠パネルと便ふたの対峙する位置に溶着代となる溶着用凸部を設け、枠パネルを便ふたに溶着してなる請求項１〜４のいずれか１項に記載のトイレ装置。
【請求項７】
便ふたの凹形状部に貫通穴を設け、枠パネルには前記貫通穴に引っ掛かる爪部を設けてなる請求項１〜４のいずれか１項に記載のトイレ装置。
【請求項８】
便ふたの凹形状部に貫通穴を設け、枠パネルには前記貫通穴と対峙する位置に、ネジの下穴を有したボスを設けてなる請求項１〜４のいずれか１項に記載のトイレ装置。
【請求項９】
枠パネルと便ふたを接着剤によって固定してなる請求項１〜４のいずれか１項に記載のトイレ装置。
【請求項１０】
枠パネルと便ふたの内側境界部と外側境界部は、便ふた側に第１の傾斜部を設け、対峙する枠パネル側にも、前記第１の傾斜部に沿うような第２の傾斜部を設けてなる請求項１〜９のいずれか１項に記載のトイレ装置。
【請求項１１】
枠パネルと便ふたの内側境界部と外側境界部の近傍において、枠パネルと便ふたの凹形状部の一方に位置決め用凸部を設け、もう一方の前記位置決め用凸部と対峙する位置に、位置決め用凹部を設けてなる請求項１〜１０のいずれか１項に記載のトイレ装置。
【請求項１２】
便ふたは、便座および本体天面を覆う大きさに形成してなる請求項１〜１１のいずれか１項に記載のトイレ装置。
【発明の詳細な説明】
【技術分野】
【０００１】
本発明は、便座およびその便座を覆う便ふたを備え、人体の局部を洗う洗浄手段を内蔵した本体を便器上に設けて使用するトイレ装置に関する。
【背景技術】
【０００２】
従来、この種のトイレ装置としては、例えば、人体の局部を洗う洗浄手段を内蔵した本体と、暖房手段を内蔵した便座と、その便座の上部のみを覆う一枚構成の便ふたを備えているものがあった（例えば、特許文献１参照）。
【特許文献１】特開２００２−３０９６４６号公報
【発明の開示】
【発明が解決しようとする課題】
【０００３】
しかしながら、前記従来の構成では、便ふたが一枚構成のため便座からの放熱を十分に防ぐことができないという課題があった。
【０００４】
本発明は、前記従来の課題を解決するもので、便ふたの保温性を向上させることによって、便座暖房の省エネ性を向上させたトイレ装置の提供を目的とする。
【課題を解決するための手段】
【０００５】
前記従来の課題を解決するために、本発明のトイレ装置は、前記便ふた上面は、外周の全部または一部に凹形状部を有し、前記凹形状部を覆う枠パネルを配設したものである。
【０００６】
これにより、便座暖房時の放熱を、便ふたと枠パネルの二重構成で防ぎ、便ふたの保温性を向上させて、便座暖房の省エネ性を向上させたものである。
【発明の効果】
【０００７】
本発明のトイレ装置は、便座暖房時の放熱を、便ふたと枠パネルの二重構成で防ぎ、便ふたの保温性を向上させて、便座暖房の省エネ性を向上させることができる。
【発明を実施するための最良の形態】
【０００８】
第１の発明は、便器上に設けた、人体の局部を洗う洗浄手段を内蔵した本体と、便器上のリム面上に設けた暖房手段を内蔵した便座と、前記便座を覆う開閉自在な便ふたとを備え、前記便ふた上面は、外周の全部または一部に凹形状部を有し、前記凹形状部を覆う枠パネルを配設したトイレ装置とすることにより、便座暖房時の放熱を、便ふたと枠パネルの二重構成で防ぐことによって、便座暖房の省エネ性を向上させることができる。また、便ふたと枠パネルの二重構成なので、凹形状部は自由な形にしても便ふた外観への影響はない。
【０００９】
第２の発明は、特に、第１の発明における便ふたの凹形状部の底部は、便座上面と近接してなることによって、さらに便座暖房の省エネ性を向上させることができる。
【００１０】
第３の発明は、特に、第１または第２の発明における便ふたの凹形状部と枠パネルとの間の空間部に断熱材を設けてなることによって、さらに便座暖房の省エネ性を向上させることができる。
【００１１】
第４の発明は、特に、第１〜第３のいずれか１つの発明における便ふたの凹形状部の底部から便座上面に向けてリブを有してなることにより、さらに便座暖房の省エネ性を向上させることができる。
【００１２】
第５の発明は、特に、第１〜第４のいずれか１つの発明における枠パネルと便ふたの内側境界部は便ふた天面部に、外側境界部は便ふた側面部にしてなることにより、さらに便座暖房の省エネ性を向上させることができ、デザイン性も向上できる。
【００１３】
第６の発明は、特に、第１〜第４のいずれか１つの発明における枠パネルと便ふたの対峙する位置に溶着代となる溶着用凸部を設け、枠パネルを便ふたに溶着してなることにより、枠パネルと便ふたを確実に固定させることができる。
【００１４】
第７の発明は、特に、第１〜第４のいずれか１つの発明における便ふたの凹形状部に貫通穴を設け、枠パネルには前記貫通穴に引っ掛かる爪部を設けてなることにより、枠パネルと便ふたを確実に固定させることができる。
【００１５】
第８の発明は、特に、第１〜第４のいずれか１つの発明における便ふたの凹形状部に貫通穴を設け、枠パネルには前記貫通穴と対峙する位置に、ネジの下穴を有したボスを設けてなることにより、枠パネルと便ふたを確実に固定させることができる。
【００１６】
第９の発明は、特に、第１〜第４のいずれか１つの発明における枠パネルと便ふたを接着剤によって固定してなるので、枠パネルと便ふたを確実に固定でき、外観に凹凸がないのでデザイン性も向上することができる。
【００１７】
第１０の発明は、特に、第１〜第９のいずれか１つの発明における枠パネルと便ふたの内側境界部と外側境界部は、便ふた側に第１の傾斜部を設け、対峙する枠パネル側にも、前記第１の傾斜部に沿うような第２の傾斜部を設けてなることにより、多少のずれがあっても、境界部の隙間が見えなくなり、デザイン性を向上することができる。
【００１８】
第１１の発明は、特に、第１〜第１０のいずれか１つの発明における枠パネルと便ふたの内側境界部と外側境界部の近傍において、枠パネルと便ふたの凹形状部の一方に位置決め用凸部を設け、もう一方の前記位置決め用凸部と対峙する位置に、位置決め用凹部を設けてなることにより、境界部の位置決めができ、デザイン性を向上できる。
【００１９】
第１２の発明は、特に、第１〜第１１のいずれか１つの発明における便ふたは、便座および本体天面を覆う大きさに形成してなることにより、便ふたと本体の隙間がなくなり、便座からの対流による放熱ロスが少なく、便座暖房の省エネ性を向上させることができる。
【００２０】
以下、本発明の実施の形態について、図面を参照しながら説明する。なお、この実施の形態によって本発明が限定されるものではない。
【００２１】
（実施の形態１）
図１〜図３は、本発明の実施の形態１におけるトイレ装置を示すものである。
【００２２】
図に示すように、トイレ装置の本体１１は、便器１２の後部上面に横長に設けられ、本体１１は、用便後などに人体の局部を温水で洗う洗浄手段１３を内装している。便器１２のリム面１２ａの上には、チュービングヒータなどで構成される暖房手段１４を内装した便座１５が、本体１１に対し便座回動軸１６を中心に回動自在に設けられている。
【００２３】
便ふた１７は、本体１１に対し便ふた回動軸１８を中心に回動自在に設けられており、便ふた１７を閉じた時には、便座１５および本体１１の上面を覆う大きさに形成されている。この便ふた１７の本体１１の上面を除く外周には、凹形状部１７ａが設けられ、この凹形状部１７ａを覆うように枠パネル１９が配設されている。
【００２４】
また、枠パネル１９と便ふた１７の内側境界部２０は便ふた天面部１７ｂに、外側境界部２１は便ふた側面部１７ｃに設けられ、その内側境界部２０と外側境界部２１は、便ふた側に第１の傾斜部２２を設け、対峙する枠パネル側にも、第１の傾斜部２２に沿うような第２の傾斜部２３を設けるとともに、枠パネル１９には、位置決め用凸部１９ａと溶着代となる溶着用凸部１９ｂを設け、便ふた１７のそれらと対峙する位置には、位置決め用凹部１７ｄと溶着用凸部１７ｅを設けてなる。
【００２５】
以上のように構成された本実施の形態では、便座１５の上部には、便ふた１７の底部１７ｆと、凹形状部１７ａと枠パネル１９の間の空間部２４と、枠パネル１９があるので、それらの断熱効果によって、便座１５からの放熱を防ぎ、便座暖房の省エネ性を向上させることができる。
【００２６】
また、本実施の形態では、枠パネル１９と便ふた１７の外側境界部２１が、便ふた側面部１７ｃに設けられているので、デザイン性が向上できるとともに、空間部２２が大きくとれ、空気断熱層が大きくなり、便座暖房の省エネ性を向上させることができる。
【００２７】
さらに、本実施の形態では、枠パネル１９と便ふた１７の境界面は傾斜をもって接しているので、多少ずれがあっても境界部の隙間が見えなくなり、デザイン性を向上させることができる。
【００２８】
また、本実施の形態では、枠パネル１９と便ふた１７の対峙する位置に、それぞれ溶着代としての溶着用凸部１９ｂ、１７ｅを設け、枠パネル１９を便ふた１７に溶着することにより、枠パネル１９と便ふた１７を確実に固定できるとともに、外観に凹凸がないのでデザイン性も向上することができる。
【００２９】
さらに、本実施の形態では、枠パネル１９と便ふた１７の内側境界部２０と外側境界部２１の近傍において、枠パネル１９に位置決め用凸部１９ａを設け、この位置決め用凸部１９ａと対峙する便ふた１７の凹形状部１７ａの位置に位置決め用凹部１７ｄを設けることにより、境界部の位置決めができ、境界部の隙間が小さくなり、デザイン性を向上させることができる。
【００３０】
（実施の形態２）
図４は本発明の実施の形態２におけるトイレ装置を示すものである。
【００３１】
本実施の形態においては、便ふた１７の凹形状部１７ａの底部１７ｆは、便座上面１５ａに近接させており、底部１７ｆから便座１５に向かって、リブ２５が突出されている。そして、空間部２４の中には、発砲スチロールなどの断熱材２６が配設されている。
【００３２】
以上のように構成された本実施の形態では、便座上面１５ａに近接した便ふた１７の凹形状部１７ａの底部１７ｆと、便座１５に向かって突出したリブ２５と、空間部２４に内装された断熱材２６の効果によって、さらに便座暖房の省エネ性を向上させることができる。
【００３３】
（実施の形態３）
図５は本発明の実施の形態３におけるトイレ装置を示すものである。
【００３４】
本実施の形態においては、便ふた１７の凹形状部１７ａに貫通穴２７を設け、枠パネル１９には貫通穴２７に引っ掛かる爪部２８を突出して設けている。
【００３５】
以上のように構成された本実施の形態では、便ふた１７の貫通穴２７に、枠パネル１９の爪部２８が引っ掛かるので、枠パネル１９と便ふた１７を簡単にかつ確実に固定させることができる。
【００３６】
（実施の形態４）
図６は本発明の実施の形態４におけるトイレ装置を示すものである。
【００３７】
本実施の形態においては、便ふた１７の凹形状部１７ａに貫通穴２７を設け、貫通穴２７と対峙する枠パネル１９の位置には、ネジの下穴２９ａを有したボス２９を設け、枠パネル１９と便ふた１７を、ネジ３０で固定している。
【００３８】
以上のように構成された本実施の形態では、枠パネル１９を便ふた１７にネジ止めできるので、枠パネル１９と便ふた１７を確実に固定できる。
【００３９】
（実施の形態５）
図７は本発明の実施の形態５におけるトイレ装置を示すものである。
【００４０】
本実施の形態においては、枠パネル１９と便ふた１７は、接着剤３０によって固定されているものである。
【００４１】
以上のように構成された本実施の形態では、枠パネル１９と便ふた１７を確実に固定でき、外観に凹凸がないのでデザイン性も向上させることができる。
【産業上の利用可能性】
【００４２】
以上のように、本発明にかかるトイレ装置は、便座暖房時の放熱を、便ふたと枠パネルの二重構成で防ぎ、便ふたの保温性を向上させて、便座暖房の省エネ性を向上させることができるものであり、各種の衛生洗浄装置に適用できる。
【図面の簡単な説明】
【００４３】
【図１】本発明の実施の形態１におけるトイレ装置を便器にセットした状態の斜視図
【図２】同トイレ装置を示す図１のＡ−Ａ線による断面図
【図３】同トイレ装置を示す図１のＢ−Ｂ線による断面図
【図４】本発明の実施の形態２におけるトイレ装置を示す図１のＡ−Ａ線による断面図
【図５】本発明の実施の形態３におけるトイレ装置を示す図１のＡ−Ａ線による断面図
【図６】本発明の実施の形態４におけるトイレ装置を示す図１のＡ−Ａ線による断面図
【図７】本発明の実施の形態５におけるトイレ装置を示す図１のＡ−Ａ線による断面図
【符号の説明】
【００４４】
１１  本体
１２  便器
１２ａ  リム面
１３  洗浄手段
１４  暖房手段
１５  便座
１５ａ  便座上面
１７  便ふた
１７ａ  凹形状部
１７ｂ  便ふた天面部
１７ｃ  便ふた側面部
１７ｄ  位置決め用凹部
１７ｅ  溶着用凸部
１７ｆ  底部
１９  枠パネル
１９ａ  位置決め用凸部
１９ｂ  溶着用凸部
２０  内側境界部
２１  外側境界部
２２  第１の傾斜部
２３  第２の傾斜部
２４  空間部
２５  リブ
２６  断熱材
２７  貫通穴
２８  爪部
２９  ボス
２９ａ  下穴
３０  接着剤
【図１】
2005131093.tif 000003
【図２】
2005131093.tif 000004
【図３】
2005131093.tif 000005
【図４】
2005131093.tif 000006
【図５】
2005131093.tif 000007
【図６】
2005131093.tif 000008
【図７】
2005131093.tif 000009